(57)【要約】【課題】  ３２面体を用いることで形状設計を容易とし、また、３種類のピースを組合せることで立体球形状を構成する球形パズルを提供する。【解決手段】  球体を構成するように湾曲させた、５角形のピースと係合片の個数が異なる２種類の６角形のピースとを用いるものであり、前記５角形のピースとしては、全ての辺に突起を有したものを12個形成し、また、前記６角形のピースとしては、１辺に突起を有し、他辺に窪みを有したものを10個とし、また、他の10個は、２辺に突起を有し、他辺に窪みを有したものとし、各ピースの突起と窪みを嵌合して組合せることにより５角形と６角形とによる３２面体を構成する球体パズルとするものである。【選択図】    図１
2006334192.tif 000002
【特許請求の範囲】
【請求項１】
球体を構成するように湾曲させた複数のピースを備え、前記ピースの各辺には、突起又は前記突起と同一の形状のくぼみを嵌合部として有し、
前記突起と窪みを嵌合して組合せて５角形と６角形とによる３２面体を構成することを特徴とする、球体パズル。
【請求項２】
前記ピースは、５角形のピースと２種類の６角形のピースを備え、
前記５角形のピースとしては、全ての辺に突起を有したものを12個備え、
前記６角形のピースの内、10個は、１辺に突起を有して他辺に窪みを有し、
前記６角形のピースの内、他の10個は、２辺に突起を有して他辺に窪みを有することを特徴とする、請求項１記載の球体パズル。
【請求項３】
前記ピースは、５角形のピースと６角形のピースを２種類を備え、
前記５角形のピースとしては、全ての辺に窪みを有したものを12個備え、
前記６角形のピースの内、10個は、１辺に窪みを有して他辺に突起を有し、
前記６角形のピースの内、他の10個は、２辺に窪みを有して他辺に突起を有することを特徴とする、請求項１記載の球体パズル。
【請求項４】
６角形のピースの９個を３行３列に配列し、この９個の配列に隣接させて５角形のピースの６個を２行３列に配列し、前記５角形のピースの列の後方に６角形のピースを１つ配列するようにシートからピースをカットし、前記シートを押圧して湾曲させることを特徴とする、請求項１乃至３の何れかに記載の球形パズルのピースの製造方法。
【請求項５】
球体の表面を形成する曲面であり、前記６角形のピース及び５角形のピースの外接円よりも大きい径を有する押し出し面により、各ピースをシートと共に押圧して湾曲させることをさせることを特徴とする、請求項４記載の球形パズルのピースの製造方法。
【請求項６】
シートに配列される５角形のピースは、全ての辺に突起を備え、シートに配列される６角形のピースは、５個が１辺に突起を有し他辺に窪みを有し、残る５個が２辺に突起を有し他辺に窪みを有することを特徴とする請求項４又は請求項５の球形パズルのピースの製造方法。
【発明の詳細な説明】
【技術分野】
【０００１】
本発明は、湾曲させた３２個のピースからなる３２面体による球体パズルと、このピースの製造方法に関する。
【背景技術】
【０００２】
今日、立体球形状のジグソーパズルとしては、同一形状のピースを複数個組合せて多面体を構成することで立体球形状とするものが多く用いられ、例えば特許文献１に記載されたものがある。
この球形パズルは、１種類の四角形状の湾曲されたピースから構成され、このピースはその１組の対辺は突起を有し、他方の組の対辺はこの突起と嵌合する形状に欠切された窪みを有するピースである。また、このピースの辺は直線ではなく、突起若しくは窪みを境にして多少折れ曲がっていることを特徴とする。
そして、この４角形状のピースを、突起を有する辺と窪みを有する辺と連結して、複数枚組合せることで球体を構成するものである。
【特許文献１】実用新案登録３１０１２１４号公報
【発明の開示】
【発明が解決しようとする課題】
【０００３】
前述のように、ピースの種類が１種類のジグソーパズルは、ピースとピースの組合せが単調でパズルとしての面白味にかけるものであり、また、１種類のピースを組合せて球体を構成できる形状を設計することは困難であった。
そこで本発明は、３２面体を用いることで形状設計を容易とし、また、３種類のピースを組合せることで立体球形状を構成する球形パズルを提供するものである。
【課題を解決するための手段】
【０００４】
請求項１記載の発明は、球体を構成するように湾曲させた複数のピースを備え、前記ピースの各辺には、突起又は前記突起と同一の形状のくぼみを嵌合部として有し、前記突起と窪みを嵌合して組合せて５角形と６角形とによる３２面体を構成することを特徴とする。
これにより、３２個のピースから３２面体による球体を構成することにより、ピースの設計製造を容易とすることができる。
【０００５】
請求項２記載の発明は、前記ピースは、５角形のピースと２種類の６角形のピースを備え、前記５角形のピースとしては、全ての辺に突起を有したものを12個備え、前記６角形のピースの内、10個は、１辺に突起を有して他辺に窪みを有し、前記６角形のピースの内、他の10個は、２辺に突起を有して他辺に窪みを有することを特徴とする。
これにより、３２個のピースを組合せることで３２面体による球体を組合せることができる。
【０００６】
請求項３記載の発明は、前記ピースは、５角形のピースと６角形のピースを２種類を備え、前記５角形のピースとしては、全ての辺に窪みを有したものを12個備え、前記６角形のピースの内、10個は、１辺に窪みを有して他辺に突起を有し、前記６角形のピースの内、他の10個は、２辺に窪みを有して他辺に突起を有することを特徴とする。
【０００７】
請求項４記載の発明は、６角形のピースの９個を３行３列に配列し、この９個の配列に隣接させて５角形のピースの６個を２行３列に配列し、前記５角形のピースの列の後方に６角形のピースを１つ配列するようにシートからピースをカットし、前記シートを押圧して湾曲させることを特徴とする。
【０００８】
請求項５記載の発明は、球体の表面を形成する曲面であり、前記６角形のピース及び５角形のピースの外接円よりも大きい径を有する押し出し面により、各ピースをシートと共に押圧して湾曲させることをさせることを特徴とする。
【０００９】
請求項６記載の発明は、シートに配列される５角形のピースは、全ての辺に突起を備え、シートに配列される６角形のピースは、５個が１辺に突起を有し他辺に窪みを有し、残る５個が２辺に突起を有し、他辺に窪みを有することを特徴とする。
【発明の効果】
【００１０】
請求項１記載の発明によれば、３２個のピースから３２面体による球体を構成することにより、ピースの設計製造を容易とすることができる。
【００１１】
請求項２記載の発明によれば、３２個のピースによって球体を構成することをより一層容易とし、３種のピースを組合せることでパズル性を増すことができる。
【００１２】
請求項３記載の発明によれば、３種のピースを組合せることで、球体を形成することを容易としてパズル性を増すことができる。
【００１３】
請求項４記載の発明によれば、１枚のシートに球形パズルの半分のピースを収めることができ、材料の無駄を少なくすることができる。
【００１４】
請求項５記載の発明によれば、球体を構成するための３２枚のピースをシートと共に湾曲させるため、効率良くピースを湾曲させることができる。
【００１５】
請求項６記載の発明によれば、全く同一のシート２枚をもって１つの球体を形成するために必要なピースを得ることができる。
【発明を実施するための最良の形態】
【００１６】
本発明の実施の形態は、球体を構成するように湾曲させた、５角形のピースと係合片の個数が異なる２種類の６角形のピースとを用いるものであり、前記５角形のピースとしては、全ての辺に突起を有したものを12個形成し、また、前記６角形のピースとしては、１辺に突起を有し、他辺に窪みを有したものを10個とし、また、他の10個は、２辺に突起を有し、他辺に窪みを有したものとし、各ピースの突起と窪みを嵌合して組合せることにより５角形と６角形とによる３２面体を構成する球体パズルとするものである。
【実施例】
【００１７】
本発明に係るパズル本体100は、図１に示すように、湾曲された、同一の長さの辺を有する、５角形のピースと、係合片の数が異なる２種類の６角形のピースとから構成され、全ての辺に係合片としての突起115を有する５角形の第１ピース110を12個と、１辺に係合片としての突起125を有し他辺に窪み127を有する６角形の第２ピース120を10個と、この第２ピース120と同一の正６角形を基礎とする、２辺に係合片としての突起135を有し他辺に窪み137を有する６角形の第３ピース130を10個とからなる３２面体による球体とされるパズル本体100である。
【００１８】
この第１ピース110は、図２及び図３に示すように、球体の一部を構成するように湾曲した板体を正５角形に形成したものであり、全ての辺に外方へ突出形成される突起115を係合片として有している。
この突起115はその先端が膨出するものとされ、第２ピース120や第３ピース130の窪みと嵌合することができるものであり、第１ピース110とする５角形及び第２ピース120や第３ピース130とする６角形は、各辺に突起又は窪みとした嵌合部を各々１個づつ有して相互に各辺を連接することができるようにしているものである。
【００１９】
第２ピース120は、球体の一部を構成するように湾曲した板体を正６角形に形成したものであり、２辺に突起125を有し、他辺に窪み127を有するものである。
この突起125は、正５角形の第１ピースに設けた突起と同一のものであって、その先端が膨出するものであり、窪み127は、この突起125と嵌合するように欠切されたものである。
【００２０】
第３ピース130は、球体の一部を構成するように湾曲した板体を正６角形に形成したものであり、第２ピース120と同一の６角形であるも第２ピース120とは突起135及び窪み137の数が異なり、１辺に突起135を有し、他辺に窪み137を有するものである。
この突起135も、第１ピースに設けた突起と同一のものであって、その先端が膨出するものであり、窪み137は、この突起135と嵌合するように欠切されたものである。
【００２１】
次に、球体パズルの組み立て方について説明する。
まず、第１ピース110の突起115を有する辺と第２ピース120の窪み127を有する辺とをあわせ、この突起125と窪み127とを嵌合させることで第１ピース110と第２ピース120とを連結し、第１ピース110の周囲に５個の第２ピース120を配設する。このとき、第２ピース120において、第１ピース110と接する辺に対して両隣の辺は、何れか一方の辺は突起125を有する辺となるように、また他方の辺は窪み127を有する辺となるように配設する。このようにして、５つの第２ピース120を第１ピース110の周囲に配設することで、隣接する第２ピース120同士の突起125と窪み127とを嵌合することにより、第２ピース120同士を連結することができる。
また、このように２個の突起を有する第２ピース120を組合せると、突起125を有する他の辺を、第１ピース110を中心とした場合の第２ピース120の外側の辺となるように組合せるものである。
【００２２】
そして、隣接する２つの第２ピース120の間に第１ピース110を配設する。このとき、第２ピース120の窪み127を有する隣接する２つの辺と、第１ピースの突起115を有する２辺とを合わせて、各々その窪み127と突起115とを嵌合させることで、第２ピース120の外側に５個の第１ピース110を配設することができる。
【００２３】
そして、２つの第２ピース120と第１ピース110との間の位置に第３ピース130を配設する。このとき、第３ピース130の突起135を有する辺を、何れか一方の第１ピース110に隣接するように位相を定め、第３ピース130の３つの窪み137と、第２ピース120の突起125と第１ピース110の２つの突起115とを嵌合させることで第２ピース120の外側に５個の第３ピース130を配設することができる。
これにより、図５に示すように、１６個のピースによる半球を構成することができる。
【００２４】
そして、この半球に残りのピースを、その突起を有する辺と窪みを有する辺とを対応させて連結していくことで、図１に示したように、１２個の５角形と２０個の６角形とから構成される３２面体を組立てることができる。
また、各ピースが球体の一部を構成するように湾曲されているため、この３２面体を真球形状に近い形状とし、多面体により球体を構成することが容易となり、また、組み立てた球体もその見た目を美しいものとすることができる。
このようにして、３２個のピースから球体を組立てる過程を楽しむと共に、完成した３２面体による球体を飾るなどすることで、その見た目を楽しむことができる。
【００２５】
また、各ピースの表面に絵柄を施すことで、ピースとピースとの絵柄の連続性を考えながらパズルを組立てる必要があり、遊戯者が特定のピースとピースを組み合わせを考えながらパズルで遊ぶことができ、より一層パズル性を増すことができる。
【００２６】
次に、ピースの製造方法について説明する。
５個の第３ピース130と４個の第２ピース120との９個を３行３列に配列し、この９個の配列に隣接させて第１ピース110を、隣接するピースの押圧円同士が干渉しないように６個３行２列に配列し、前記第１ピース110の列の後方で、行と行との間に第２ピース120を１つ配列したシート200から、型抜きによりピースをカットする。
これにより、１６個のピースを一枚のシートに収めることができるため、同一の２枚のシートで、効率よくピースを製造することができる。
【００２７】
そして、ピースをカットした後に、前記シート200を、球体の一部を形成する曲面であり、第２ピース120及び第３ピース130、または第１ピース110の外接円よりも大きい径を有する円形とされる型押し面により、シート200の各ピースを押圧して湾曲させることにより、２枚のシートを形成して球体を構成する32個のピースを製造することができる。
【図面の簡単な説明】
【００２８】
【図１】本発明に係る球形パズルの外観図である。
【図２】本発明に係る球形パズルのピースの構造を示した側面図である。
【図３】本発明に係る球形パズルのピースの形状を示した平面図である。
【図４】本発明に係る球形パズルの組立方法を示した平面図である。
【図５】本発明に係る球形パズルの組立方法を示した外観図である。
【図６】本発明に係る球形パズルのピースを配列したシートを示した平面図である。
【符号の説明】
【００２９】
100    パズル本体
110    第１ピース
115    突起
120    第２ピース
125    突起
127    窪み
130    第３ピース
135    突起
137    窪み
200    シート
【図１】
2006334192.tif 000003
【図２】
2006334192.tif 000004
【図３】
2006334192.tif 000005
【図４】
2006334192.tif 000006
【図５】
2006334192.tif 000007
【図６】
2006334192.tif 000008